(57)【要約】【課題】破砕機から飛散する破砕片の飛び出しを確実に防止できるとともに、破砕機で発生した爆風に対して、迅速に開口部を開放して爆風圧を放出する。【解決手段】破砕室２に連通して設置されたダクト５の開口部７に設置される安全装置８であって、開口部７の全面を覆い飛散する破砕片の通過を阻止するシート部材１１と、ダクト５の開口部７周囲に設けられたフランジ板９に、開口部７周囲で複数箇所に設置されて開口部７を通過しようとする破砕片の衝撃力に対して前記シート部材１１をフランジ板９に係止可能で、かつ開口部７を通過する爆風による加圧力によりシート部材１１をフランジ板９から離脱可能な係止具１３と、シート部材１１の裾面部１１ｃを押圧して保持する外周保持具１４とを具備した。【選択図】        図１
2004167437.tif 000002
【特許請求の範囲】
【請求項１】
破砕室に連通するダクトの開口部に設置される安全装置であって、
前記開口部の全面を覆い飛散する破砕片の通過を阻止するシート部材と、
前記ダクトの開口部周囲に設けられたダクト構成部材とシート部材との間に設けられて、開口部を通過しようとする破砕片の衝撃力に対して前記シート部材をダクト構成部材に係止可能で、かつ開口部から出ようとする爆風の加圧力に対してシート部材をダクト構成部材から分離可能な複数の係止具と、
前記シート部材の外周部を押圧して保持する外周保持具とを具備した
ことを特徴とする破砕機用ダクトの安全装置。
【請求項２】
シート部材は、開口部に対向する閉鎖面部と、該閉鎖面部の周囲から開口面の側方に折り曲げられる垂下周面部と、該垂下周面部の外周部で外周保持部材に加圧保持される裾面部からなり、
係止具は、開口部の周囲に立設されたプレートに開口面に平行で外方に向かって突設された係止ピンと、シート部材の垂下周面部の内面に取り付けられ垂下周面部に加わる爆風の加圧力により離脱可能に前記係止ピンに外嵌される嵌合部材とで構成された
ことを特徴とする請求項１記載の破砕機用ダクトの安全装置。
【請求項３】
シート部材は、開口部に対向する閉鎖面部と、該閉鎖面部の周囲から開口面の側方に折り曲げられる垂下周面部と、該垂下周面部の外周部で外周保持部材に加圧保持される裾面部からなり、
係止具は、ダクト構造部材に支持されて開口部の縁部に沿って配設された係止ロッドと、シート部材の垂下周面部の内面に取り付けられ係止ロッドに係合する嵌合孔と該嵌合孔から外面に形成された離脱用スリットとを有する係止ブロックとで構成された
ことを特徴とする請求項１記載の破砕機用ダクトの安全装置。
【請求項４】
外周保持具は、シート部材の外周部を押圧する加圧部材と、該加圧部材をダクト構成部材に連結する連結部材と、該加圧部材をダクト構成部材側に付勢してダクト構造部材との間に挟み込む付勢手段とで構成された
ことを特徴とする請求項１乃至３の何れかに記載の破砕機用ダクトの安全装置。
【請求項５】
連結部材を、加圧部材の外周側で水平軸心周り回動自在に連結するヒンジ部材により構成し、
付勢手段を、加圧部材に負荷される重力とした
ことを特徴とする請求項４記載の破砕機用ダクトの安全装置。
【発明の詳細な説明】
【０００１】
【発明の属する技術分野】
本発明は、大型ごみなどを破砕する破砕機から、破砕時の衝撃により飛散する破砕片の飛び出しを防止し、かつ大型ごみに混入したガスボンベなど爆発物の爆発による爆風を安全に逃がすための破砕機用ダクトの安全装置に関する。
【０００２】
【従来の技術】
回収された大型ごみは、破砕機に投入されて破砕され、分離されて再利用されたり、焼却炉で焼却されるが、破砕機に投入された大型ごみにガスボンベなどの爆発物が混入されて爆発を起こすことがある。爆風が破砕機内に充満すると、破砕機を破壊して大事故につながるおそれがある。このため、破砕機で発生する爆風を破砕機から工場外に逃がすために、破砕機の上部に爆風ダクトが設置され、その上端部は工場の屋根部（外部）に開口されている。そして爆風ダクトの開口部には、雨風の浸入を防ぐ大重量の爆風扉が載置されている。
【０００３】
ところで、破砕機の爆風を安全に逃がすものとして、特許文献１がある。これは、破砕機を覆うケーシングに爆風放散用の複数の開口を形成し、これら開口部を弾性シートにより覆い、また搬出用コンベヤを弾性材からなるのれん状カバーで覆ったものである。通常、破砕機周囲の工場内空間には、作業員の出入が禁止されており、破砕片が開口部から飛び出しても、二次災害を招くことはない。
【０００４】
【特許文献１】
特開平９−１９６４４号公報
【０００５】
【発明が解決しようとする課題】
しかし、年に一度や二度程度の割合ではあるが、ガスの残ったボンベが大型ごみに混入し、破壊により漏出したガスに火花が引火すると、猛烈な爆風が発生して爆風ダクトを通過し、爆風扉をはじき飛ばして外部に放出されることがある。この時、重量物である爆風扉が飛ばされると、これが周囲の工場施設や作業員に当たって二次災害を招きかねない。
【０００６】
このため、爆風扉をより軽量なシート材に置き換えて雨水などを防ぐことが考えられるが、特に大型ごみを衝撃破砕する破砕機では、その衝撃により破砕片が度々周囲に飛散し、爆風ダクトを通って爆風扉に当ることが頻繁にあり、爆風扉により外部への飛び出しが防止されていた。したがって、通常のシート材などで爆風ダクトの開口部を覆うだけでは、勢いよく飛び出してくる破砕片によりシート材が破損して飛散を防止することができない。
【０００７】
本発明は、上記問題点を解決して、破砕機から飛散する破砕片の飛び出しを確実に防止できるとともに、破砕機で発生した爆風に対して、瞬時に開口部を開放して爆風圧を放出することができる破砕機用ダクトの安全装置を提供することを目的とする。
【０００８】
【課題を解決するための手段】
上記目的を達成するために請求項１記載の発明は、破砕室に連通するダクトの開口部に設置される安全装置であって、前記開口部の全面を覆い飛散する破砕片の通過を阻止するシート部材と、前記ダクトの開口部周囲に設けられたダクト構成部材とシート部材との間に設けられて、開口部を通過しようとする破砕片の衝撃力に対して前記シート部材をダクト構成部材に係止可能で、かつ開口部から出ようとする爆風の加圧力に対してシート部材をダクト構成部材から分離可能な複数の係止具と、前記シート部材の外周部を押圧して保持する外周保持具とを具備したものである。
【０００９】
上記構成によれば、外周保持具により、シート部材の離脱を防止しつつ風雨による開口部への浸入を防ぎ、シート部材により係止具を介して破砕室からダクトを介して飛び出す破砕片の飛散を防止し、かつ爆発時には係止具によりシート部材を開口部から瞬時に離脱させて開口部全体をいち早く開放し、これにより爆風による損害を最小に食い止めることができる。
【００１０】
請求項２記載の発明は、シート部材は、開口部に対向する閉鎖面部と、該閉鎖面部の周囲から開口面の側方に折り曲げられる垂下周面部と、該垂下周面部の外周部で外周保持部材に加圧保持される裾面部からなり、係止具は、開口部の周囲に立設されたプレートに開口面に平行で外方に向かって突設された係止ピンと、シート部材の垂下周面部の内面に取り付けられ垂下周面部に加わる爆風の加圧力により離脱可能に前記係止ピンに外嵌される嵌合部材とで構成されたものである。
【００１１】
上記構成によれば、破砕室からダクトを介して飛来する破砕片により、開口面に対して垂直に働く衝撃力は、嵌合部材を介して係止ピンに対して略垂直方向に負荷されることから、係止ピンから嵌合部材が分離するのが防止されて破砕片が開口部から飛散するのを未然に防止できる。一方、爆発時には、開口部から拡散しようとする爆風が周囲に均一に広がり、垂下周面部が外側に広げられることで、嵌合部材が係止ピンから抜き出されて係止具が容易に分離される。さらに裾面部は、爆風によりシート部材が引っ張られて外周保持具との間から摩擦力に抗して引き出される。これにより瞬時にシート部材が吹き飛ばされて開口部全面が開放される。したがって、爆風は開口部から短時間に放出されて破砕機の損傷が防止され、また飛ばされたシート部材により二次災害を招くこともない。さらにシート部材を、再び開口部に装着して再使用することができる。
【００１２】
請求項３記載の発明は、シート部材は、開口部に対向する閉鎖面部と、該閉鎖面部の周囲から開口面の側方に折り曲げられる垂下周面部と、該垂下周面部の外周部で外周保持部材に加圧保持される裾面部からなり、係止具は、ダクト構造部材に支持されて開口部の縁部に沿って配設された係止ロッドと、シート部材の垂下周面部の内面に取り付けられ係止ロッドに係合する嵌合孔と該嵌合孔から外面に形成された離脱用スリットとを有する係止ブロックとで構成されたものである。
【００１３】
上記構成によれば、破砕室からダクトを介して飛来する破砕片により、開口面に対して垂直に働く衝撃力は、係止ブロックを介して係止ロッドに垂直方向に負荷されることから、係止ロッドから係止ブロックが離脱するのが防止されて、破砕片が開口部から飛散するのを確実に防止できる。一方、爆発時には、開口部から拡散しようとする爆風が周囲に均一に広がり、垂下周面部が外側に広がることにより、係止ロッドが離脱用スリットを介して係止ブロックから離脱し係止具がが分離される。さらに裾面部は、爆風によりシート部材が引っ張られて外周保持具との間から摩擦力に抗して引き出される。これにより瞬時にシート部材が吹き飛ばされて開口部全面が開放される。したがって、爆風が開口部から短時間に放出されて破砕機の損傷が防止され、また飛ばされたシート部材により二次災害が生じることもない。さらにシート部材を、再び開口部に装着して再使用することができる。
【００１４】
請求項４記載の発明は、外周保持具は、シート部材の外周部を押圧する加圧部材と、該加圧部材をダクト構成部材に連結する連結部材と、該加圧部材をダクト構成部材側に付勢してダクト構造部材との間に挟み込む付勢手段とで構成されたものである。
【００１５】
上記構成によれば、付勢手段により加圧部材とダクト構成部材との間に挟み込む摩擦力により、風雨によりシート部材の裾面部が捲れあがったり、シート部材が飛ばされるのを効果的に防止することができる。また爆風により、シート部材が引っ張られた時には、摩擦力に抗して容易にシート部材を引き出して離脱するように構成することで、迅速に開口部を開放することができる。さらに連結部材により、爆風による衝撃で加圧部材が吹き飛ばされるのを防止することができて、二次災害の発生を防止することができる。
【００１６】
請求項５の発明は、連結部材を、加圧部材の外周側で水平軸心周り回動自在に連結するヒンジ部材により構成し、付勢手段を、加圧部材に負荷される重力としたものである。
【００１７】
上記構成によれば、爆風によりシート部材が引っ張られることで、加圧部材がヒンジを介して開動し、摩擦力が軽減されることで、シート部材が容易に引き出されて加圧部材から離脱され、開口部の開放が短時間で行われる。
【００１８】
【発明の実施の形態】
ここで、本発明に係る破砕機用ダクトの安全装置の実施の形態を図１〜図６に基づいて説明する。
【００１９】
図２に示すように、破砕機１は、ケーシング２ａに囲まれた破砕室２内に、たとえば圧縮破砕部１ａと衝撃破砕部１ｂとを具備し、圧縮破砕部１ａの上部入口に破砕物を供給する搬入コンベヤ３が接続され、また衝撃破砕部１ｂの下部出口に破砕片を排出する振動式の搬出フイーダ４が設けられている。
【００２０】
また加圧破砕部１ａの上部入口には、破砕室２に連通して爆風の逃すために、たとえば矩形断面の爆風ダクト（ダクト）５が上方に接続され、工場構造物の屋根６を貫通して外部に開放される矩形状の開口部７が形成され、開口部７に本発明に係る安全装置８が設けられている。
【００２１】
この安全装置８は、図１および図３，４に示すように、開口部７の全面を覆い飛散する破砕片の通過を阻止するシート部材１１が配置されている。このシート部材１１は、開口部７に対向する閉鎖面部１１Ａと、該閉鎖面部１１Ａの周囲から開口面７側部に折り曲げられる垂下周面部１１Ｂと、該垂下周面部１１ｂの外周部に延長された裾面部１１Ｃにより構成されている。そしてシート部材１１は、主に内面を覆い所定の強度を有するたとえばアラミド繊維布からなる強度シート材１１ｄと、主に外面に配置されて防水性および耐候性に優れたたとえば帆布からなる外面シート材１１ｅと、閉鎖面部１１ａで強度シート材１１ｄと外面シート材１１ｅの間に介在されて所定厚みを有し衝撃緩衝性の高いたとえばスポンジや多孔質ウレタン樹脂などからなる緩衝材１１ｆにより形成されている。
【００２２】
前記開口部７の周囲のフランジ板（ダクト構成部材）９には、開口部７の全面を覆う破砕片の通過防止材（エキスパンドメタル）１２が固定されており、この通過防止材１２は高強度線材を網目状に形成したものが使用されている。また開口部７周囲とシート部材１１には、開口部７を通過しようとする破砕片の衝撃力に対してシート部材１１を係止可能で、かつ開口部７を通過する爆風の加圧力に対してフランジ板９からシート部材１１を離脱可能な係止具１３が設けられ、さらにその外周部に、外部から作用する風雨に対してシート部材１１のめくれ上がりや離脱を防止する外周保持具１４が設けられている。
【００２３】
前記係止具１３は、開口部７の周囲のフランジ板９に、一定間隔ごとに複数のガイドプレート２１が立設され、これらガイドプレート２１の背面で中間部には、水平方向に沿って外方に突出する鋼製で筒状の係止ピン２２が突設され、ガイドプレート２１には係止ピン２２の孔部２２ａと連通する貫通孔２１ａが穿設されている。一方、シート部材１１の垂下周面部１１Ｂの内面には、それぞれガイドプレート２１の係止ピン２２にそれぞれ嵌合する嵌合孔３２ａを有する合成ゴムや柔軟な樹脂製の嵌合栓（嵌合部材）２３が補強プレート２４を介して固着されている。
【００２４】
したがって、図５に示すように、爆風ダクト５から開口部７に飛来する破砕片Ｐは、通過防止材１２を介してシート部材１１の閉鎖面部１１Ａに衝突し、緩衝材１１ｆにより衝撃が緩和される。その時、衝撃力はシート部材１１が矢印方向に引っ張るとともに垂下周面部１１Ｂでは上方に作用し、嵌合栓２３を介して係止ピン２２に軸心に垂直な負荷がかかる。すると、係止ピン２２によりその負荷が支持されることで、係止具１３が離脱されることはない。
【００２５】
一方、破砕室２で爆発が生じた場合、図６に示すように、開口部７に達した爆風は、シート部材１１の内面周囲にわたって均一に膨張する方向に広がるとともに、係止ピン２２の孔部２２ａから嵌合孔３２ａに作用し、垂下周面部１１Ｂが外側に押し広げられる。これにより、嵌合栓２３が係止ピン２２の軸心に沿って外方にスライドされて係止ピン２２から抜けて出て係止具１３が離脱される。このように、爆風で垂下周面部１１Ｂが効果的に広がるように、垂下周面部１１Ｂの受圧面積を十分広くしている。
【００２６】
外周保持具１４は、開口部７の四辺に沿って外側に配置されシート部材１１の裾面部１１Ｃを押圧する加圧プレート（加圧部材）３１と、これら加圧プレート３１を水平ピン（水平軸心）３２ａを中心に回動自在にフランジ板９に連結するヒンジ部材（連結部材）３２とを具備し、水平なフランジ板９に配置した加圧プレート３１では、フランジ板９との間に挟み込む付勢手段として加圧プレート３１の自重を利用したが、開口部７が垂直面や傾斜面に沿って形成される場合には、コイルばねなどの弾性部材、弾性部材と自重が併用される。
【００２７】
このように、加圧プレート３１をヒンジ部材３２を介して回動自在にフランジ板９に連結されることで、外部から加わる暴風に対しては、シート部材１１を強固に保持することができ、また開口部７から外方に作用する爆風に対しては、シート部材１１が上方に引っ張られることで、加圧プレート３１がヒンジ部材３２を介して遊端部が浮き上がり、加圧プレート３１およびフランジ板９との摩擦抵抗が急激に低下して裾面部１１Ｃの引き抜きが容易に行われ、シート部材１１が短時間で離脱される。
【００２８】
上記実施の形態によれば、図５に示すように、破砕室２から衝撃により破砕片が爆風ダクト５を通過して開口部７に達した場合でも、通過防止材１２とシート部材１１とにより衝撃力が緩和され、さらにシート部材１１が受けた衝撃荷重が係止具１３により支持されることから、高速で飛び出した破砕片であっても、開口部７から飛び出すのを確実に防止することができる。また通過防止材１２によりシート部材１１の損傷が防止される。
【００２９】
破砕物に混入したボンベなどにより、破砕室２で爆発が生じた場合、爆風が爆風ダクト５を介して開口部７に至ると、周方向に均一に広がる爆風により、シート部材１１の垂下周面部１１Ｂも外方に広がって係止具１３を分離させ、同時にシート部材１１の裾面部１１Ｃが外周保持具１４から引き抜かれて離脱し、シート部材１１が瞬時に吹き飛ばされる。これにより短時間で開口部７の全面が開放されて爆風が放散され、破砕機１が損傷されるのが防止される。
【００３０】
図７は、シート部材１１に緩衝材１１ｆを介装しない他の実施の形態を示すもので、対向するガイドプレートの上端部間に、シート部材１１の垂れ下がりを防止する複数のパイプ状の形状保持フレーム４１が取り付けられている。
【００３１】
この実施の形態によれば、緩衝材１１ｆを介装しなくても、シート部材１１に必要な強度を持たせることにより、先の実施の形態と同様の作用効果を奏することができる。
【００３２】
図８〜図１０は、係止具を変更した他の実施の形態を示す。先の実施の形態と同一部材には同一符号を付して説明を省略する。
すなわち、係止具５１は、開口部７の全周にわたって、縁部に立設された支持部材５２を介して水平で平行なガイドロッド５３と係止ロッド５４とが上下２段に配設され、シート部材１１の垂下周面部１１Ｃの内面に、係止ロッド５４に係合する（弾性を有する樹脂や合成ゴム製の）複数の係止ブロック５５が取り付けられて鋼製されている。前記係止ブロック５４は、縦長で中央部幅方向に貫通されて係止ロッド５４が嵌合可能な嵌合孔５５ａと、嵌合孔５５ａから表面側外方に向かって漸次幅が狭くなる略三角形断面に形成された離脱用スリット５５ｂとが形成されている。
【００３３】
シート部材１１は、ガイドロッド５３を介して垂下周面部１１Ｃが下方に垂下され、垂下周面部１１Ｃの係止ブロック５４が嵌合孔５５ａを介して係止ロッド５４に嵌合係止されており、たとえば破壊片がシート部材１１の閉鎖面部１１Ａに衝突した衝撃荷重のように、開口部７を通過する上方向の荷重に対して十分に支持可能であるが、たとえば爆風により嵌合孔５５ａから垂下周面部１１Ｃを広げる方向の水平方向の荷重がかかると、係止ロッド５４は離脱用スリット５５ｂを介して離脱し、係合具５１が短時間で分離するように構成されている。
【００３４】
したがって、破砕機１による衝撃により破砕室２から破砕片が爆風ダクト５を通過して開口部７に達した場合でも、通過防止材１２とシート部材１１とにより衝撃が緩和され、さらにシート部材１１が受けた衝撃荷重が係止具５１により支持されることから、大きい衝撃力で高速で飛び出した破砕片であっても、開口部７から飛び出すのを確実に防止することができる。
【００３５】
また破砕室２で生じた爆風が爆風ダクト５を介して開口部７に至ると、周方向に均一に広がる爆風により、シート部材１１の垂下周面部１１Ｂが外方に広がって係止具５１が分離される。同時にシート部材１１の裾面部１１Ｃが外周保持具１４から引き抜かれて離脱し、シート部材１１が瞬時に吹き飛ばされる。これにより短時間で開口部７の全面が開放されて爆風が放散され、爆風により破砕機１が損傷するのが防止される。
【００３６】
なお、上記実施の形態では、通過防止材１２とシート部材１１とを併用したが、破砕片の重量や衝撃状態により、通過防止材１２を削除することもできる。
【００３７】
【発明の効果】
以上に述べたごとく請求項１記載の発明によれば、外周保持具により、シート部材の離脱を防止しつつ風雨による開口部への浸入を防ぎ、シート部材により係止具を介して破砕室からダクトを介して飛び出す破砕片の飛散を防止し、かつ爆発時には係止具によりシート部材を開口部から瞬時に離脱させて開口部全体をいち早く開放し、これにより爆風による損害を最小に食い止めることができる。
【００３８】
請求項２記載の発明によれば、破砕室からダクトを介して飛来する破砕片により、開口面に対して垂直に働く衝撃力は、嵌合部材を介して係止ピンに対して略垂直方向に負荷されることから、係止ピンから嵌合部材が分離するのが防止されて破砕片が開口部から飛散するのを未然に防止できる。一方、爆発時には、開口部から拡散しようとする爆風が周囲に均一に広がり、垂下周面部が外側に広げられることで、嵌合部材が係止ピンから抜き出されて係止具が容易に分離される。さらに裾面部は、爆風によりシート部材が引っ張られて外周保持具との間から摩擦力に抗して引き出される。これにより瞬時にシート部材が吹き飛ばされて開口部全面が開放される。したがって、爆風は開口部から短時間に放出されて破砕機の損傷が防止され、また飛ばされたシート部材により二次災害を招くこともない。さらにシート部材を、再び開口部に装着して再使用することができる。
【００３９】
請求項３記載の発明によれば、破砕室からダクトを介して飛来する破砕片により、開口面に対して垂直に働く衝撃力は、係止ブロックを介して係止ロッドに垂直方向に負荷されることから、係止ロッドから係止ブロックが離脱するのが防止されて、破砕片が開口部から飛散するのを確実に防止できる。一方、爆発時には、開口部から拡散しようとする爆風が周囲に均一に広がり、垂下周面部が外側に広がることにより、係止ロッドが離脱用スリットを介して係止ブロックから離脱し係止具がが分離される。さらに裾面部は、爆風によりシート部材が引っ張られて外周保持具との間から摩擦力に抗して引き出される。これにより瞬時にシート部材が吹き飛ばされて開口部全面が開放される。したがって、爆風が開口部から短時間に放出されて破砕機の損傷が防止され、また飛ばされたシート部材により二次災害が生じることもない。さらにシート部材を、再び開口部に装着して再使用することができる。
【００４０】
請求項４記載の発明によれば、付勢手段により加圧部材とダクト構成部材との間に挟み込む摩擦力により、風雨によりシート部材の裾面部が捲れあがったり、シート部材が飛ばされるのを効果的に防止することができる。また爆風により、シート部材が引っ張られた時には、摩擦力に抗して容易にシート部材を引き出して離脱するように構成することで、迅速に開口部を開放することができる。さらに連結部材により、爆風による衝撃で加圧部材が吹き飛ばされるのを防止することができて、二次災害の発生を防止することができる。
【００４１】
請求項５の発明によれば、爆風によりシート部材が引っ張られることで、加圧部材がヒンジを介して開動し、摩擦力が軽減されることで、シート部材が容易に引き出されて加圧部材から離脱され、開口部の開放が短時間で行われる。
【図面の簡単な説明】
【図１】本発明に係る破砕機用ダクトの安全装置の実施の形態を示す分解斜視図である。
【図２】同安全装置の配置状態を示す構成図である。
【図３】同安全装置の係止具を示す分解斜視図である。
【図４】同安全装置の係止具を示す組立断面図である。
【図５】同安全装置における破砕片による荷重負荷状態を示す断面図である。
【図６】同安全装置における爆風による荷重負荷状態を示す断面図である。
【図７】同安全装置のシート部材の変形例を示す分解斜視図である。
【図８】本発明に係る破砕機用ダクトの安全装置の他の実施の形態を示す分解斜視図である。
【図９】同安全装置の係止具を示す分解斜視図である。
【図１０】同安全装置の係止具を示す組立断面図である。
【符号の説明】
１    破砕機
２    破砕室
５    爆風ダクト
６    屋根
７    開口部
８    安全装置
９    フランジ板
１１    シート部材
１１Ａ  閉鎖面部
１１Ｂ  垂下周面部
１１Ｃ  裾面部
１１ｆ  緩衝材
１２    通過防止材
１３    係止具
１４    外周保持具
２２    係止ピン
２３    嵌合栓
５１    係止具
５４    係止ロッド
５５    係止ブロック
５５ａ  嵌合孔
５５ｂ  離脱用スリット
【図１】
2004167437.tif 000003
【図２】
2004167437.tif 000004
【図３】
2004167437.tif 000005
【図４】
2004167437.tif 000006
【図５】
2004167437.tif 000007
【図６】
2004167437.tif 000008
【図７】
2004167437.tif 000009
【図８】
2004167437.tif 000010
【図９】
2004167437.tif 000011
【図１０】
2004167437.tif 000012